(57)【要約】      （修正有）【課題】キッチンの前に立って保持物を見やすい角度から見ることができ、レピシ検索しながら料理をすることができる家庭用具用ホルダを提供する。【解決手段】キッチンの吊戸その他の家庭用具Ｃに取り付け得るホルダであって、水平軸線を有する水平軸１と前記水平軸線に直交する垂直軸線を有する垂直軸２とを備えたヒンジ機構Ｂと、このヒンジ機構Ｂに取り付け得るホルダ本体Ｄとを備えている。そして、ホルダ本体Ｄに取り付け得るものであって、ホルダ本体Ｄに置かれたタブレット、スマートホン、レシピ本等の保持物Ｅをホルダ本体Ｄに保持・固定させ得る保持・固定具Ｆを備えている。【選択図】図２
2016198240.tif 000002
【特許請求の範囲】
【請求項１】
キッチンの吊戸その他の家庭用具に取り付け得るホルダであって、水平軸線を有する水平軸と前記水平軸線に直交する垂直軸線を有する垂直軸とを備えたヒンジ機構と、このヒンジ機構に取り付け得るホルダ本体とを備えていることを特徴とする家庭用具用ホルダ。
【請求項２】
ホルダ本体に取り付け得るものであって、ホルダ本体に置かれたタブレット、スマートホン、レシピ本等の保持物をホルダ本体に保持・固定させ得る保持・固定具を備えていることを特徴とする請求項１記載の家庭用具用ホルダ。
【請求項３】
ホルダ本体に縦方向のガイド溝を形成しておき、このガイド溝を挿通させ得る固定ねじで保持・固定具をホルダ本体に取り付けることができるようにしたことを特徴とする請求項２記載の家庭用具用ホルダ。
【請求項４】
ホルダ本体の下縁部に、幅方向にわたって保持物差込用の溝が形成されていることを特徴とする請求項２又は３記載の家庭用具用ホルダ。
【請求項５】
保持・固定具が保持・固定具本体と保持・固定具レバーとからなり、前記保持・固定具レバーが前記保持・固定具本体に対して回動可能に取り付けられていることを特徴とする請求項２又は３記載の家庭用具用ホルダ。
【発明の詳細な説明】
【技術分野】
【０００１】
本発明は、キッチンの吊戸その他の家庭用具に取り付け得るホルダに関し、さらに詳しくは、その一部であるホルダ本体にタブレット、スマートホン、レシピ本等の保持物を保持させ得るようにしたものに関する。
【背景技術】
【０００２】
タブレット、スマートホン、レシピ本等を見ながらキッチン台の前に立って料理することができれば、極めて便利である。ところが、従来そのような便利なものはなく、唯一、収納式書見台付吊戸棚が提案されている（例えば、特許文献１）。
【先行技術文献】
【特許文献】
【０００３】
【特許文献１】実公昭６１−８７４２号公報（実用新案登録請求の範囲、第３欄第２０〜３０行、第４欄第２１〜２５行、第１図、第３図等）
【発明の概要】
【発明が解決しようとする課題】
【０００４】
しかしながら、前記特許文献１に示すものは、必要に応じて書見台の前縁を摘んで前記書見台を引き出して手を離すと、書見台がローラと軸支点を中心に回動し、収納部から吊持され、吊持された書見台に教科書あるいは料理カードを立て掛けることができるものである。
【０００５】
この書見台は収納式であるから、書見台を引き出すか、あるいは収納しなければならないので、以外と手間が掛かると思われる。そこで、これに代わるより便利なホルダがないかについて色々と研究したところ、いちいち引き出すか、あるいは収納することをしなくても、極めて容易にホルダをしまった状態とし、逆に、使用状態にできることを発案するに至った。
【０００６】
また、特許文献１の書見台には、立て掛けた教科書あるいは料理カードが書見台から落ちることが無いようにするための工夫がなされていないので、そのような冶具が備えられていると、さらに都合が良い。
【０００７】
本発明は、このような欠点を解消し得る家庭用具用ホルダを提供することを目的とするものである。
【課題を解決するための手段】
【０００８】
上記目的を達成するために、本発明による家庭用具用ホルダは、キッチンの吊戸その他の家庭用具に取り付け得るホルダであって、水平軸線を有する水平軸と前記水平軸線に直交する垂直軸線を有する垂直軸とを備えたヒンジ機構と、このヒンジ機構に取り付け得るホルダ本体とを備えていることを特徴とするものである。
【０００９】
本発明による家庭用具用ホルダは、前記ヒンジ機構をキッチンの吊戸その他の家庭用具の板面等の取付体に取り付けることができ、図２(b)に示すように、水平軸線を有する水平軸を中心として前記ホルダ本体を実線の位置から鎖線ａ１のように傾けることができ、また、鎖線ａ２に示すように収納状態である水平状にすることができる。一方、図２(c)に示すように、前記水平軸線に直交する垂直軸線を有する垂直軸を中心として前記ホルダ本体を実線の位置から鎖線ａ３あるいはａ４に示すように首を振ることができる。
【００１０】
したがって、前記ホルダ本体にタブレット、スマートホン、レシピ本等の保持物を置いた場合において、例えば、キッチンの前に立って前記保持物を見やすい角度から見ることができ、レピシ検索しながら料理をすることができる。一方、家庭用具用ホルダが必要ない場合には、極めて容易に収納状態である水平状にすることができる。
【００１１】
ホルダ本体に取り付け得るものであって、ホルダ本体に置かれたタブレット、スマートホン、レシピ本等の保持物をホルダ本体に保持・固定させ得る保持・固定具を備えていることが好ましい。このようにした場合には、ホルダ本体に置かれたタブレット、スマートホン、レシピ本等の保持物をホルダ本体に保持・固定でき、ホルダ本体から前記保持物が落下するのを防止することができる。
【００１２】
ホルダ本体に縦方向のガイド溝を形成しておき、このガイド溝を挿通させ得る固定ねじで保持・固定具をホルダ本体に取り付けることができるようにしておくことが好ましい。  このようにした場合には、前記ガイド溝に沿って前記固定ねじを上下動させることにより、ホルダ本体に対して保持・固定具を上下動させることができるので、保持物の大きさに応じて保持・固定具を上下動させて最適な位置で、この保持・固定具により前記保持物をホルダ本体に保持・固定できる。
【００１３】
ホルダ本体の下縁部に、幅方向にわたって保持物差込用の溝が形成されていることが好ましい。このようにした場合には、タブレット、スマートホン、レシピ本等の保持物がホルダ本体に安定して保持され、ホルダ本体から前記保持物が落下するのをさらに防止することができる。
【００１４】
保持・固定具が保持・固定具本体と保持・固定具レバーとからなり、前記保持・固定具レバーが前記保持・固定具本体に対して回動可能に取り付けられていることが好ましい。このようにした場合には、図３(b)の鎖線で示すように、前記保持・固定具レバーを前記保持・固定具本体に対して回動させることができる。したがって、保持・固定具本体と保持・固定具レバーとからなる保持・固定具により、ホルダ本体に保持・固定されているタブレット、スマートホン、レシピ本等の保持物をホルダ本体から片付けるに当って、前記保持・固定状態を容易に解除することができ、ホルダ本体からの前記保持物の片付けをスムーズに行うことができる。
【発明の効果】
【００１５】
請求項１記載の発明によれば、ホルダ本体にタブレット、スマートホン、レシピ本等の保持物を置いた場合において、例えば、キッチンの前に立って前記保持物を見やすい角度から見ることができ、レピシ検索しながら料理をすることができる。一方、家庭用具用ホルダが必要ない場合には、極めて容易に収納状態である水平状にすることができる。
【００１６】
請求項２記載の発明によれば、ホルダ本体に置かれたタブレット、スマートホン、レシピ本等の保持物をホルダ本体に保持・固定でき、ホルダ本体から前記保持物が落下するのを防止することができる。
【００１７】
請求項３記載の発明によれば、ガイド溝に沿って固定ねじを上下動させることにより、ホルダ本体に対して保持・固定具を上下動させることができるので、保持物の大きさに応じて保持・固定具を上下動させて最適な位置で、この保持・固定具により前記保持物をホルダ本体に保持・固定できる。
【００１８】
請求項４記載の発明によれば、タブレット、スマートホン、レシピ本等の保持物がホルダ本体に安定して保持され、ホルダ本体から前記保持物が落下するのをさらに防止することができる。
【００１９】
請求項５記載の発明によれば、ホルダ本体に保持・固定されているタブレット、スマートホン、レシピ本等の保持物をホルダ本体から片付けるに当って、前記保持・固定状態を容易に解除することができるので、ホルダ本体からの前記保持物の片付けをスムーズに行うことができる。
【図面の簡単な説明】
【００２０】
【図１】本発明による家庭用具用ホルダの一例を示すもので、 (a)は保持物とともに示す分解斜視図、(b)はヒンジ機構のみを示す拡大分解斜視図である。
【図２】ホルダ本体にタブレット、スマートホン、レシピ本等の保持物を立て掛けた状態を示すもので、(a)はその正面図、(b)は家庭用具用ホルダを家庭用具の取付体に取り付けた状態を示す側面図で、水平軸を中心としてホルダ本体を実線の位置から傾けたり、水平状にすることができる様子を示し、(c)は垂直軸を中心としてホルダ本体を実線の位置から首を振ることができる様子を示す平面図である。
【図３】保持・固定具本体と保持・固定具レバーとからなる保持・固定具の一例を示すもので、(a)はその拡大分解斜視図、(b)はホルダ本体に保持・固定されているタブレット、スマートホン、レシピ本等の保持物の保持・固定状態とその状態を解除する様子を示す一部分のみの斜視図で、いずれもホルダ本体とともに示す。
【図４】図３(a)に示す保持・固定具本体と保持・固定具レバーとからなる保持・固定具の拡大分解背面斜視図である。
【図５】図３(a)に示す保持・固定具本体と保持・固定具レバーとを組み合わせた状態を示す拡大横断面図で、ホルダ本体に取り付けた状態で示す。
【発明を実施するための形態】
【００２１】
本発明による家庭用具用ホルダの一例を図面に基いて詳細に説明する。
本家庭用具用ホルダＡは、キッチンの吊戸その他の家庭用具Ｃに取り付け得るホルダであって、水平軸線１ａを有する水平軸１と前記水平軸線１ａに直交する垂直軸線２ａを有する垂直軸２とを備えたヒンジ機構Ｂと、このヒンジ機構Ｂに取り付け得るホルダ本体Ｄとを備えている。
【００２２】
ヒンジ機構Ｂは、図１(b)に示すように、ベースプレート３とこのベースプレート３の中心部分に形成された孔３ａに装着し得る前記垂直軸２と、この垂直軸２によりベースプレート３に取り付け得るブラケット４と、このブラケット４にねじ５で取り付け得るトルク蝶番６とからなり、カバー７によりそれらの一部が覆い隠されている。前記トルク蝶番６には、図１(a)、(b)に示すように、水平軸線１ａを有する水平軸１が備えられている。
【００２３】
前記ベースプレート３を例えば４本のネジ８でキッチンの吊戸その他の家庭用具Ｃの板面等の取付体ｃに取り付けることにより、前記ヒンジ機構Ｂを前記取付体ｃに取り付けることができる。そして、前記トルク蝶番６の一方の蝶番６ａに、例えばボルト９とナット１０とによりホルダ本体Ｄを取り付けることができる。
【００２４】
この場合において、図２(b)に示すように、水平軸線１ａを有する水平軸１を中心として前記ホルダ本体Ｄを実線の位置から鎖線ａ１のように傾けることができ、また、鎖線ａ２に示すように収納状態である水平状にすることができる。一方、図２(c)に示すように、前記水平軸線１ａに直交する垂直軸線２ａを有する垂直軸２を中心として前記ホルダ本体Ｄを実線の位置から鎖線ａ３あるいはａ４に示すように首を振ることができる。
【００２５】
したがって、前記ホルダ本体Ｄにタブレット、スマートホン、レシピ本等の保持物Ｅを置いた場合において、例えば、キッチンの前に立って前記保持物Ｅを見やすい角度から見ることができ、レピシ検索しながら料理をすることができる。一方、家庭用具用ホルダＡが必要ない場合には、極めて容易に収納状態である水平状にすることができる。
【００２６】
図面には、ホルダ本体Ｄに取り付け得るものであって、ホルダ本体Ｄに置かれたタブレット、スマートホン、レシピ本等の保持物Ｅをホルダ本体Ｄに保持・固定させ得る保持・固定具Ｆを備えた場合が例示されている。この保持・固定具Ｆが備えられていると、ホルダ本体Ｄに置かれたタブレット、スマートホン、レシピ本等の保持物Ｅをホルダ本体Ｄに保持・固定でき、ホルダ本体Ｄから前記保持物Ｅが落下するのを防止することができる。
【００２７】
例えば、図１、図３に示すように、ホルダ本体Ｄに縦方向のガイド溝１１を形成しておき、このガイド溝１１を挿通させ得る固定ねじ１２で保持・固定具Ｆをホルダ本体Ｄに取り付けることができるようにしておくと、この保持・固定具Ｆによりスマートホン、レシピ本等の保持物Ｅをホルダ本体Ｄに保持・固定できる。特に、前記ガイド溝１１に沿って前記固定ねじ１２を上下動させることにより、ホルダ本体Ｄに対して保持・固定具Ｆを上下動させることができるので、保持物Ｅの大きさに応じて保持・固定具Ｆを上下動させて最適な位置で、この保持・固定具Ｆにより前記保持物Ｅをホルダ本体Ｄに保持・固定できる。
【００２８】
また、図１、図２に示すように、ホルダ本体Ｄの下縁部には、幅方向にわたって保持物Ｅ差込用の溝１３が形成されている。この溝１３が形成されていると、タブレット、スマートホン、レシピ本等の保持物Ｅがホルダ本体Ｄに安定して保持され、ホルダ本体Ｄから前記保持物Ｅが落下するのをさらに防止することができる。なお、図１〜図３に示すように、ホルダ本体Ｄの左右両側にも支え板１４が配置してあって、前記保持物Ｅの左右両側を支え得るようになっている。
【００２９】
ここに示す保持・固定具Ｆは保持・固定具本体１５と保持・固定具レバー１６とからなり、前記保持・固定具レバー１６が前記保持・固定具本体１５に対して回動可能に取り付けられている。このようにするためには、例えば、保持・固定具本体１５を一部において二股状とし、この二股状の脚片１５ａ，１５ａの内面にそれぞれ突起１５ｂ，１５ｂを形成する一方、保持・固定具レバー１６側に前記両突起１５ｂ，１５ｂを嵌入させ得る孔１６ａ，１６ａ（貫通孔でも良い）を形成し、前記両突起１５ｂ，１５ｂを孔１６ａ，１６ａに嵌入すれば良い。
【００３０】
このようにすることで、図３(b)の鎖線で示すように、前記保持・固定具レバー１６を前記保持・固定具本体１５に対して回動させることができる。したがって、保持・固定具本体１５と保持・固定具レバー１６とからなる保持・固定具Ｆにより、ホルダ本体Ｄに保持・固定されているタブレット、スマートホン、レシピ本等の保持物Ｅをホルダ本体Ｄから片付けるに当って、前記保持・固定状態を容易に解除することができ、ホルダ本体Ｄからの前記保持物Ｅの片付けをスムーズに行うことができる。
【００３１】
前記固定ねじ１２を螺合させ得るねじ孔１５ｃは、前記保持・固定具本体１５に形成されており、このねじ孔１５ｃにホルダ本体Ｄの反対側からガイド溝１１を経て固定ねじ１２を螺合させれば、保持・固定具レバー１６をホルダ本体Ｄに固定することができる。なお、図３、図４における符号１６ｂは、その際に摘むことができる摘みである。
【００３２】
このように、保持・固定具レバー１６を保持・固定具本体１５に対して回動させることができるので、保持・固定具本体１５と保持・固定具レバー１６とからなる保持・固定具Ｆにより、ホルダ本体Ｄに保持・固定されているタブレット、スマートホン、レシピ本等の保持物Ｅをホルダ本体Ｄから片付けるに当って、前記保持・固定状態を容易に解除することができ、ホルダ本体Ｄからの前記保持物Ｅの片付けをスムーズに行うことができる。
【符号の説明】
【００３３】
１…水平軸、１ａ…水平軸線、２…垂直軸、２ａ…垂直軸線、６…トルク蝶番、１１…ガイド溝、１２…固定ねじ、１３…保持物差込用の溝、１５…保持・固定具本体、１６…保持・固定具レバー、Ａ…家庭用具用ホルダ、Ｂ…ヒンジ機構、Ｃ…家庭用具、Ｄ…ホルダ本体、Ｅ…保持物、Ｆ…保持・固定具。
【図１】
2016198240.tif 000003
【図２】
2016198240.tif 000004
【図３】
2016198240.tif 000005
【図４】
2016198240.tif 000006
【図５】
2016198240.tif 000007